(57)【要約】【課題】本発明は、天井のような設置箇所からの取り外し、殺菌洗浄、設置箇所への再設置を簡略、且つ、迅速に実行でき、有害な菌類を含まない空調環境を実現し得る着脱式空調機を提供する。【解決手段】本発明の着脱式空調機は、天井５０の設置箇所に表面パネル２が天井面に露出する状態で挿脱可能に構成されるとともに、天井上方の床躯体に取り付けた吊りボルト５３により着脱可能に支持された室内機１と、室内機１の近傍において空調動作に必要な冷媒を室内機１に循環させる冷媒配管系１３の往管路、復管路に各々配置したこの往管路、復管路の接続、切り離しを行う一対のボールバルブ２１と、室内機１の近傍において空調動作に必要な電力線、信号の供給を行う信号線を含む電気配線系１６の電線路に配置したこの電線路の接続、分離を行うコネクタ２３とを有するものである。【選択図】図１
2007139283.tif 000002
【特許請求の範囲】
【請求項１】
所定の設置箇所に設置される室内機と、
該室内機の近傍において空調動作に必要な冷媒を前記室内機に循環させる冷媒配管系の管路に配置したこの管路の接続、切り離しを行う配管類着脱部と、
前記室内機の近傍において空調動作に必要な電力、信号の供給を行う電気配線系の電線路に配置したこの電線路の接続、分離を行う電気配線着脱部と、
を有することを特徴とする着脱式空調機。
【請求項２】
天井の設置箇所に表面パネルが天井面に露出する状態で挿脱可能に構成されるとともに、天井上方の床躯体に取り付けた複数本の吊りボルトにより着脱可能に支持された室内機と、
該室内機の近傍において空調動作に必要な冷媒を前記室内機に循環させる冷媒配管系の往管路、復管路に各々配置したこの往管路、復管路の接続、切り離しを行う一対の配管類着脱部と、
前記室内機の近傍において空調動作に必要な電力、信号の供給を行う電気配線系の電線路に配置したこの電線路の接続、分離を行う電気配線着脱部と、
を有することを特徴とする着脱式空調機。
【請求項３】
天井の設置箇所に表面パネルが天井面に露出する状態で挿脱可能に構成されるとともに、天井上方の床躯体に取り付けた複数本の吊りボルトにより着脱可能に支持された室内機と、
該室内機の近傍において空調動作に必要な冷媒を前記室内機に循環させる冷媒配管系の往管路、復管路に各々配置したこの往管路、復管路の接続、切り離しを行う一対のボールバルブ等のバルブと、
前記室内機の近傍において空調動作に必要な電力線、信号の供給を行う信号線を含む電気配線系の電線路に配置したこの電線路の接続、分離を行うコネクタと、
を有することを特徴とする着脱式空調機。
【請求項４】
所定の設置箇所に各々設置される複数台の室内機と、
前記各室内機と空調動作に必要な冷媒を循環させる複数系統の冷媒配管系を介して接続される冷媒配管ユニット及び一台の室外機と、
空調動作に必要な電力、信号の供給を行う電気系ユニットと、
前記各室内機と電気系ユニット間、室外機と電気系ユニット間を接続する電気配線系と、
を有する着脱式空調機システムであって、
前記各室内機の近傍において前記各冷媒配管系の管路に各々配置したこれら管路の接続、切り離しを行う配管類着脱部と、
前記各室内機の近傍において前記各電気配線系の電線路に配置したこれらの電線路の接続、分離を行う電気配線類着脱部と、
を有することを特徴とする着脱式空調機システム。
【請求項５】
天井の設置箇所に表面パネルが天井面に露出する状態で挿脱可能に構成されるとともに、天井上方の床躯体に取り付けた複数本の吊りボルトにより着脱可能に支持された複数台の室内機と、
前記各室内機と空調動作に必要な冷媒を循環させる複数系統の冷媒配管系を介して接続される冷媒配管ユニット及び一台の室外機と、
空調動作に必要な電力、信号の供給を行う電気系ユニットと、
前記各室内機と電気系ユニット間、室外機と電気系ユニット間を接続する電気配線系と、
を有する着脱式空調機システムであって、
前記各室内機の近傍において前記冷媒配管系の往管路、復管路に各々配置したこの往管路、復管路の接続、切り離しを行う一対の配管類着脱部と、
前記各室内機の近傍において前記各電気配線系の電線路に配置したこれらの電線路の接続、分離を行う電気配線類着脱部と、
前記天井における各室内機の一対の配管類着脱部及び電気配線類着脱部の近傍相当位置に各々設けた点検口と、
を有することを特徴とする着脱式空調機システム。
【請求項６】
天井の設置箇所に表面パネルが天井面に露出する状態で挿脱可能に構成されるとともに、天井上方の床躯体に取り付けた複数本の吊りボルトにより着脱可能に支持された複数台の室内機と、
前記各室内機と空調動作に必要な冷媒を循環させる複数系統の冷媒配管系を介して接続される冷媒配管ユニット及び一台の室外機と、
空調動作に必要な電力、信号の供給を行う電気系ユニットと、
前記各室内機と電気系ユニット間、室外機と電気系ユニット間を接続する電気配線系と、
を有する着脱式空調機システムであって、
前記各室内機の近傍において前記冷媒配管系の往管路、復管路に各々配置したこの往管路、復管路の接続、切り離しを行う一対のボールバルブ等のバルブと、
前記室内機の近傍において空調動作に必要な電力、信号の供給を行う電気配線系の電線路に配置したこの電線路の接続、分離を行うコネクタと、
前記天井における各室内機の一対のボールバルブ等のバルブ及びコネクタの近傍相当位置に各々設けた点検口と、
を有することを特徴とする着脱式空調機システム。
【発明の詳細な説明】
【技術分野】
【０００１】
本発明は、新規な構成の着脱式空調機及び着脱式空調機システムに関するものである。
【背景技術】
【０００２】
従来、例えば病院、デパート等のような多数の室内機を含む空調機設置施設において、価格面、メンテナンス性等の点から、ビルマルチ式の空調機の採用が増えている。
【０００３】
このビルマルチ式の空調機による院内感染防止の対策としては、例えば空調機を構成する天井取り付け型の室内機におけるフィルターの年一回程度の交換（又は殺菌洗浄）が一般的となっている。しかし、このような院内感染防止対策では室内機自体に有害な菌類が残存してしまう恐れがある。
【０００４】
このため、病院、デパート等における空調機の使用者側としては、室内機自体を取り外し、この室内機自体も殺菌洗浄したいという強い要請が有るが、室内機は一旦天井等へ設置すると入換時点まで取り外すことがないのが一般的で、空調機メーカー、施工業者とも使用者側の要請に応えていないのが実情である。
【０００５】
従来においても、撤去移設時を想定し、室内機（例えば床置型）に現場施工でバルブを設置して冷媒配管を切り離し可能とし、その際室内機に含まれる冷媒を冷媒回収装置を使用して回収するように構成した空調機システムが実施されている。
しかし、冷媒回収装置を使用して冷媒を回収するこことは、作業工程の増加を招き、作業費用の増大を招くことになる。
【０００６】
図６、図７に従来における一般的な天井取り付け型の室内機１００の施工状態を示す。
この従来例は、床躯体１０１から例えば４本の室内機１００用の吊りボルト１０２を垂下し、４本の吊りボルト１０２により、ブラケット１０４を介して室内機１００を床躯体１０１と天井板１０３との間で支持するとともに、天井板１０３に予め設けた天井開口１０３ａを塞ぐように室内機パネル１００ａを嵌め込んでこの室内機パネル１００ａを室内機１００に装着している。
【０００７】
また、室内機１００の一方の側面に、冷媒油管１１１、冷媒ガス管１１２、ドレン管１１３のような配管類を取り付け、電源線１２１、電装線１２２からなる電気配線類を接続している。更に天井板１０３の一部に、開閉可能な開閉蓋１２３付きの点検口１２４を設けている。
【０００８】
しかし、この従来例の場合には、室内機１００自体を容易に着脱し得る構造ではなく、この室内機１００を一旦天井内に設置した場合、室内機１００の寿命が尽きたりその一部が故障したりする等の場合のようにその入換時点まで取り外しが行われないのが実情である。
【０００９】
特許文献１には、天井埋込型の室内機の送風用電動機に対して、天井の下方から洗浄機を取り付けて、洗浄機を運転して室内機の熱交換機に洗浄液を吹き付けて洗浄を行うように構成した天井埋込型空気調和機の洗浄装置が提案されている。
【００１０】
しかし、特許文献１の場合においても、天井埋込型の室内機自体を取り外して洗浄を行うものではなく、院内感染防止対策の点で、必ずしも十分ではなく、室内機自体に有害な菌類が残存してしまう恐れがある。
【００１１】
特許文献２には、天井に設置される複数の室内機と、一台の室内機とを、配管接続部及び配管により順次接続した構成の天井埋込型空気調和機が提案されている。
【００１２】
しかし、この特許文献２の場合においても、複数の室内機各々に関して、各配管系、電気系を含めた一台ずつの着脱の便宜を考慮したものではない。
【特許文献１】特開平０６−１２３４３７号公報
【特許文献２】特開２０００−３２９３６８号公報
【発明の開示】
【発明が解決しようとする課題】
【００１３】
本発明が解決しようとする問題点は、天井のような設置箇所からの取り外し或いは設置箇所への再設置又は他の場所への移設等を簡略、且つ、迅速に実行することができ、有害な菌類を含まない空調環境を実現して院内感染防止等の対策を確実に行うことができる着脱式空調機及び着脱式空調機システムが存在しない点である。
【課題を解決するための手段】
【００１４】
本発明に係る着脱式空調機は、所定の設置箇所に設置される室内機と、該室内機の近傍において空調動作に必要な冷媒を前記室内機に循環させる冷媒配管系の管路に配置したこの管路の接続、切り離しを行う配管類着脱部と、前記室内機の近傍において空調動作に必要な電力、信号の供給を行う電気配線系の電線路に配置したこの電線路の接続、分離を行う電気配線類着脱部と、を有することを最も主要な特徴とする。
【発明の効果】
【００１５】
本発明によれば、以下の効果を奏する。
請求項１記載の発明によれば、所定の設置箇所に設置される室内機の近傍において空調動作に必要な冷媒を前記室内機に循環させる冷媒配管系の管路にこの管路の接続、切り離しを行う配管類着脱部を配置し、室内機の近傍において空調動作に必要な電力、信号の供給を行う電気配線系の電線路にこの電線路の接続、分離を行う電気配線類着脱部を配置したものであるから、配管類着脱部による前記管路の切り離し又は接続及び電気配線類着脱部による電線路の分離又は接続により、前記設置箇所からの室内機の取り外し、他の箇所への移設又は当該設置箇所への再設置等の各作業を簡略、且つ、迅速に行うことが可能となり、この結果、室内機の丸ごと洗浄の容易化による有害な菌類を含まない清潔な空調環境の実現や、他の箇所への移設の容易化による作業工程、費用の軽減化実現を図ることができる。
【００１６】
請求項２記載の発明によれば、天上の設置箇所に表面パネルが天井面に露出する状態で挿脱可能に配置するとともに、天井上方の床躯体に取り付けた複数本の吊りボルトにより着脱可能に支持した室内機に対して、その近傍において空調動作に必要な冷媒を前記室内機に循環させる往管路、復管路からなる冷媒配管系の管路にこの管路の接続、切り離しを行う一対の配管類着脱部を配置し、また、室内機の近傍において空調動作に必要な電力、信号の供給を行う電気配線系の電線路にこの電線路の接続、分離を行う電気配線類着脱部を配置したものである。
【００１７】
従って、一対の配管類着脱部による前記管路の切り離し又は接続及び電気配線類着脱部による電線路の分離又は接続により、請求項１記載の発明の場合と同様に、前記設置箇所からの室内機の取り外し、他の箇所への移設又は当該設置箇所への再設置等の各作業を簡略、且つ、迅速に行うことが可能となり、この結果、室内機の丸ごと洗浄の容易化による有害な菌類を含まない清潔な空調環境の実現や、他の箇所への移設の容易化による作業工程、費用の軽減化実現を図ることができる。
【００１８】
請求項３記載の発明によれば、前記一対の配管類着脱部を一対のボールバルブ等のバルブとし、電気配線類着脱部をコネクタとした構成により、請求項２記載の発明の場合と同様、前記設置箇所からの室内機の取り外し、他の箇所への移設又は当該設置箇所への再設置等の各作業を簡略、且つ、迅速に行うことが可能となり、この結果、室内機の丸ごと洗浄の容易化による有害な菌類を含まない清潔な空調環境の実現や、他の箇所への移設の容易化による作業工程、費用の軽減化実現を図ることができる。
【００１９】
請求項４記載の発明によれば、所定の設置箇所に設置される複数台の室内機に対して一台の室外機及び冷媒配管ユニットから複数系統の冷媒配管系を介して空調動作に必要な冷媒を循環させるとともに、複数台の室内機に対して電気系ユニットから電気配線系を介して空調動作に必要な電力、信号の供給を行う構成の着脱式空調機システムにおいて、空調動作に必要な冷媒を前記各室内機に循環させる各冷媒配管系の管路にこの管路の接続、切り離しを行う配管類着脱部を各々配置し、各室内機の近傍において空調動作に必要な電力、信号の供給を行う各電気配線系の電線路にこの電線路の接続、分離を行う電気配線類着脱部を各々配置したものである。
【００２０】
従って、個々の室内機における配管類着脱部による前記管路の切り離し又は接続及び電気配線類着脱部による電線路の分離又は接続により、前記設置箇所からの個々の室内機の取り外し、他の箇所への移設又は当該設置箇所への再設置等の各作業を簡略、且つ、迅速に行うことが可能となり、この結果、個々の室内機の丸ごと洗浄の容易化による有害な菌類を含まない清潔な空調環境の実現や、他の箇所への移設の容易化による作業工程、費用の軽減化実現を図ることができる。
【００２１】
請求項５記載の発明によれば、天井の設置箇所に表面パネルが天井面に露出する状態で挿脱可能に配置するとともに、天井上方の床躯体に取り付けた複数本の吊りボルトにより着脱可能に支持した複数台の室内機に対して一台の室外機及び冷媒配管ユニットから複数系統の冷媒配管系を介して空調動作に必要な冷媒を循環させるとともに、前記複数台の室内機に対して電気系ユニットから電気配線系を介して空調動作に必要な電力、信号の供給を行い、前記複数台の室内機の近傍相当位置に各々点検口を設けた構成の着脱式空調機システムにおいて、各室内機の近傍において空調動作に必要な冷媒を前記各室内機に循環させる往管路、復管路からなる各冷媒配管系の前記点検口に対応する管路に、この管路の接続、切り離しを行う配管類着脱部を各々一対ずつ配置し、各室内機の近傍において空調動作に必要な電力、信号の供給を行う各電気配線系の前記点検口に対応する電線路にこの電線路の接続、分離を行う電気配線類着脱部を各々配置したものである。
【００２２】
従って、前記点検口を利用して個々の室内機における配管類着脱部による前記管路の切り離し又は接続及び電気配線類着脱部による電線路の分離又は接続を行うことにより、請求項４記載の発明と同様、前記天上からの個々の室内機の取り外し、他の箇所への移設又は当該天上への再設置等の各作業を簡略、且つ、迅速に行うことが可能となり、この結果、個々の室内機の丸ごと洗浄の容易化による有害な菌類を含まない清潔な空調環境の実現や、他の箇所への移設の容易化による作業工程、費用の軽減化実現を図ることができる。
【００２３】
請求項６記載の発明によれば、前記一対の配管類着脱部を一対のボールバルブ等のバルブとし、前記電気配線類着脱部をコネクタとした構成により、請求項５記載の発明の場合と同様、個々の室内機における配管類着脱部による前記管路の切り離し又は接続及び電気配線類着脱部による電線路の分離又は接続により、前記天上からの個々の室内機の取り外し、他の箇所への移設又は当該天上への再設置等の各作業を簡略、且つ、迅速に行うことが可能となり、この結果、個々の室内機の丸ごと洗浄の容易化による有害な菌類を含まない清潔な空調環境の実現や、他の箇所への移設の容易化による作業工程、費用の軽減化実現を図ることができる。
【発明を実施するための最良の形態】
【００２４】
本発明は、天井のような設置箇所からの取り外し、設置箇所への再設置又は他の場所への移設を簡略、且つ、迅速に実行でき、有害な菌類を含まない空調環境を実現して院内感染防止等の対策を確実に行うことができる着脱式空調機を提供するという目的を、天井の設置箇所に表面パネルが天井面に露出する状態で挿脱可能に構成されるとともに、天井上方の床躯体に取り付けた複数本の吊りボルトにより着脱可能に支持された室内機と、該室内機の近傍において空調動作に必要な冷媒を前記室内機に循環させる冷媒配管系の往管路、復管路に各々配置したこの往管路、復管路の接続、切り離しを行う一対のボールバルブ等のバルブと、前記室内機の近傍において空調動作に必要な電力線、信号の供給を行う信号線を含む電気配線系の電線路に配置したこの電線路の接続、分離を行うコネクタと、を有する構成により実現した。
【実施例】
【００２５】
以下に、本発明の実施例に係る着脱式空調機及び着脱式空調機システムについて詳細に説明する。
【００２６】
本実施例の着脱式空調機システムは、図１、図２に示すように、例えば病院建物の１階等任意の階の部屋の天井５０と、この天井５０の上方に位置する上階の床躯体５１との間の空間に、各々天井５０の下方から着脱可能に取り付けた複数台（例えば３台）の略直方体状の着脱式空調機である室内機１と、前記３台の室内機１に対して、空調動作に必要な冷媒を循環させる３系統構成（各々往管路、復管路からなる）冷媒配管系１０を介して接続される冷媒配管ユニット１２及びこの冷媒配管ユニット１２に１系統構成の冷媒配管系１３を介して接続される一台の室外機１４と、商用電源（例えばＡＣ２００Ｖ等）の供給を受けて前記各室内機１の空調動作に必要な電力、信号の供給を行う電気系ユニット１５と、各室内機１と電気系ユニット１５間を接続する３系統構成の電気配線系１６と、室外機１４と電気系ユニット１５間を接続する１系統構成の電気配線系１７とを有している。
【００２７】
前記天井５０における各室内機１の設置箇所の近傍相当位置（後述する一対のボールバルブ２１、２２及びコネクタ２３の近傍相当位置）には、各々開閉蓋５７付きの点検口５６を設けている。
【００２８】
前記各室内機１は、図２に示すように（１台分のみ示す）、天井５０に設けた四角形状の取り付け穴５２側から室内機１を構成する表面パネル２の表面が天井面に露出する状態で天井５０内に挿脱可能となっている。
【００２９】
また、天井５０の上方の上階の床躯体５１に各々上端を取り付けた例えば４本の吊りボルト５３及びナット５４によって、室内機１の四隅部分に固着したブラケット５５を各々着脱可能に支持し、室内機１を吊り下げ状態に配置するようにしている。
【００３０】
本実施例の着脱式空調機及び着脱式空調機システムは、更に、図３、図４に拡大して示すように、前記各室内機１の近傍において前記冷媒配管系１０の往管路、復管路に各々配置したこの往管路、復管路の接続、切り離しを行う配管類着脱部である一対のボールバルブ２１、２２と、前記各室内機１の近傍において空調動作に必要な電力、信号の供給を行う電気配線系１６の電線路に配置したこの電線路の接続、分離を行う電気配線類着脱部であるコネクタ２３とを具備している。
本発明においては、前記一対のボールバルブ２１、２２に代替して、ボールバルブ構成以外の各種構成に係るバルブを用いることができる。
【００３１】
前記ボールバルブ２１は、着脱構造の室内機側バルブ部２１ａと、配管側バルブ部２１ｂとを具備し、かつ、これら室内機側バルブ部２１ａ、配管側バルブ部２１ｂを離脱させた時にはその内部に存在する冷媒を外部に漏らさないような構造となっている。
【００３２】
前記ボールバルブ２２も同様に着脱構造の室内機側バルブ部２２ａと、配管側バルブ部２２ｂとを具備し、かつ、これら室内機側バルブ部２２ａ、配管側バルブ部２２ｂを図４に示すように離脱させた時には、その内部に存在する冷媒を外部に漏らさないような構造となっている。
更に、前記ボールバルブ２１、２２は、各々図示しないが加圧用プラグ、エアー抜きプラグを具備している。
【００３３】
前記コネクタ２３は、着脱構造の室内機側コネクタ部２３ａと、電気配線側コネクタ部２３ｂとを具備し、これら室内機側コネクタ部２３ａ、電気配線側コネクタ部２３ｂの図３又は図３に示す着脱操作により空調動作に必要な電力、信号の室内機１への供給又は供給遮断を行うようになっている。
【００３４】
次に、上述した本実施例の着脱式空調機及び着脱式空調機システムの動作について室内機１を天井５０から取り外す場合を主にし、且つ、図５も参照して説明する。
【００３５】
室内機１を天井５０から取り外すには、まず図５に示すように、前記開閉蓋５７を開き、点検口５６を開口するとともに、室内機１の表面パネル２を下方に取り外す。
【００３６】
次に、点検口５６内に作業者が手を入れ、図５に示すように、前記ボールバルブ２１を室内機側バルブ部２１ａと、配管側バルブ部２１ｂとに切り離し、また前記ボールバルブ２２を室内機側バルブ部２２ａと、配管側バルブ部２２ｂとに切り離す。更に、前記コネクタ２３も室内機側コネクタ部２３ａと、電気配線側コネクタ部２３ｂとに切り離す。
【００３７】
次に、図５に示すように、前記各吊りボルト５３にねじ込んでいる各ナット５４を外し、室内機１の４箇所の各ブラケット５５を吊りボルト５３から離脱させて、室内機１を取り付け穴５２の下方に降下させて床面上等に載置することで室内機１の天井５０からの取り外し作業が終了する。
【００３８】
取り外した室内機１を設置箇所（病室等）から外部に搬出する際には、前記室内機１に付着している菌類の拡散防止のためその場で専用のビニール袋等に収納し、この状態で搬出作業を行う。そして、病室等から外部に搬出した室内機１に対してその全体の殺菌洗浄を実施する。取り外した室内機１を他の設置箇所に移設する場合も同様である。
【００３９】
上述した室内機１を取り外す場合においては、当該室内機１の冷媒を他の室内機１の冷媒配管系１０へ移動させる。また、前記ボールバルブ２１、２２の切り離しを行うに際しては、ボールバルブ２１、２２内の極小の隙間に残存する冷媒に関しては、オイルを図示しない加圧用プラグに注入することで、図示しない冷媒逃がし管に移動させ、ボールバルブ２１、２２内の残存冷媒を無くす。
【００４０】
次に、上述したような殺菌洗浄を施した室内機１を天井５０内へ取り付けるには、上述した場合とは逆に室内機１を天井５０の取り付け穴５２内に搬入し、室内機１の４箇所のブラケット５５の部分を吊りボルト５３に取り付けて、ナット５４を各々吊りボルト５３にねじ込むことで、この室内機１を天井５０内で水平状態に支持する。
【００４１】
次に、前記ボールバルブ２１の室内機側バルブ部２１ａと、配管側バルブ部２１ｂとを装着し、また、前記ボールバルブ２２の室内機側バルブ部２２ａと、配管側バルブ部２２ｂとを装着する。
【００４２】
更に、前記コネクタ２３の室内機側コネクタ部２３ａと、電気配線側コネクタ部２３ｂとを装着する。
【００４３】
このようにして、冷媒配管系１０、電気配線系１６を各々室内機１に接続した後、前記表面パネル２を取り付け穴５２を経て室内機１の下面に装着することで室内機１を天井５０内へ取り付ける作業が終了する。
【００４４】
前記室内機１を天井５０内へ取り付けるに際しては、図示しない加圧用プラグにオイルを注入することで、ボールバルブ２１、２２内における極小の隙間のエアーを図示しないエアー抜きプラグから外部に排出させる。
【００４５】
以上で殺菌洗浄後の室内機１を運転可能状態とすることができる。更に、前記開閉蓋５７により点検口５６を塞ぐことで一連の作業が完了する。
【００４６】
以上説明したように、本実施例の着脱式空調機及び着脱式空調機システムによれば、室内機１の天井５０からの取り外し、取り外した室内機１の別場所での丸ごとの殺菌洗浄、殺菌洗浄後の室内機１の天井５０への取り付けを菌類の拡散防止を図りつつ短時間（例えば３０分程度）で行うことができ、清潔な空調環境の実現を図ることができる。更には、室内機１の他の箇所への移設の容易化による作業工程、費用の軽減化実現を図ることができる。
【００４７】
また、本実施例の着脱式空調機及び着脱式空調機システムによれば、前記ボールバルブ２１、２２及びコネクタ２３を予め採用しておくことにより、これらの現場施工が不要となり、現場施工作業の不要化による費用低減を図ることができる。
【００４８】
更に、本実施例の着脱式空調機及び着脱式空調機システムによれば、前記ボールバルブ２１、２２を採用したことにより、室内機１を取り外す際に冷媒を室内機１内にとどめることができ、冷媒回収装置を使用しての冷媒回収作業が不要となり、この点からも費用低減を図ることができる。
【００４９】
本実施例の着脱式空調機及び着脱式空調機システムの具体的効果としては、例えば、病院内に設置した各室内機１の丸ごと洗浄が可能となり、病院における衛生面の向上を図ることができる。
【００５０】
また、デパート等のように、頻繁に室内レイアウトの変更を行う建物内に各室内機１を設置した場合には、各室内機１の移設を行う場合でも冷媒回収装置を使用しての冷媒回収作業が不要となることから、作業の簡略化による費用低減を図ることができる。
【００５１】
なお、各室内機１及び室外機１４一式を撤去移設する場合には、冷媒回収装置を使用しての冷媒回収作業が必要となるが、個々の室内機１まわりは冷媒回収が不要で、この点からも費用低減を図ることができる。
【００５２】
更に、前冷媒配管系１０に対して簡易に施工できる図示しない保温キットを採用するようにすれば、冷媒配管系１０の保温作業をより容易化することが可能となる。
【００５３】
なお、本実施例のようなマルチエアコンシステム（室外機１台で複数台の室内機１を制御するシステム）の場合には、１台の室内機１の制御基板を取り外した場合、断線エラーとなり、他の室内機１を含め全系統の異状停止という事態を招来するのが通常であるが、他の室内機１の異状停止を発生させず、且つ、着脱可能な制御基板を採用することで、個々の室内機１の天井５０に対する着脱を他の室内機１の運転に影響を与えることなく実行できる着脱式空調機システムとすることができる。
【００５４】
また、上述した本実施例の着脱式空調機システムにおいては、１台の室外機１４に３台の室内機１を接続した構成について説明したが、室内機１の接続個数はこれに限らず５台、１０台、２０台等、任意台数として実施できることは勿論である。
【産業上の利用可能性】
【００５５】
本発明は、上述した天井埋め込み型の室内機に適用する場合の他、例えば壁面埋め込み型の室内機や天井から露出する状態で取り付ける構造の室内機に対しても幅広く適用可能である。
【図面の簡単な説明】
【００５６】
【図１】本発明の実施例に係る着脱式空調機システムの全体構成を示す概略斜視図図である。
【図２】本発明の実施例に係る着脱式空調機システムにおける室内機の天井内への取り付け状態を示す概略断面図である。
【図３】本発明の実施例に係る着脱式空調機及びその近傍部分（ボールバルブ及びコネクタの装着状態）の拡大斜視図である。
【図４】本発明の実施例に係る着脱式空調機及びその近傍部分（ボールバルブ及びコネクタの切り離し状態）の拡大斜視図である。
【図５】本発明の実施例に係る着脱式空調機の天井からの取り外し状態を示す概略断面図である。
【図６】従来の空調機の天井への取り付け状態を示す概略側面図である。
【図７】図６のＡ−Ａ線概略断面図である。
【符号の説明】
【００５７】
１    室内機
２    表面パネル
１０    冷媒配管系
１２    冷媒配管ユニット
１３    冷媒配管系
１４    室外機
１５    電気系ユニット
１６    電気配線系
１７    電気配線系
２１    ボールバルブ
２１ａ  室内機側バルブ部
２１ｂ  配管側バルブ部
２２    ボールバルブ
２２ａ  室内機側バルブ部
２２ｂ  配管側バルブ部
２３    コネクタ
２３ａ  室内機側コネクタ部
２３ｂ  電気配線側コネクタ部
５０    天井
５１    床躯体
５２    取り付け穴
５３    吊りボルト
５４    ナット
５５    ブラケット
５６    点検口
５７    開閉蓋
【図１】
2007139283.tif 000003
【図２】
2007139283.tif 000004
【図３】
2007139283.tif 000005
【図４】
2007139283.tif 000006
【図５】
2007139283.tif 000007
【図６】
2007139283.tif 000008
【図７】
2007139283.tif 000009